(57)【要約】【課題】  本発明は、決済にかかる応答時間の短縮、個人情報の漏洩防止、通信にかかる費用の軽減を目的とする携帯端末による決済処理システムを提供する。【解決手段】  本願の携帯端末を利用した決済処理システムは、少なくとも商品の購入金額情報を入力する店舗装置３０と、無線通信を介して接続され、カード情報が記憶されているユーザの携帯端末１０と、移動体通信網を介して接続され、携帯端末１０からのカード決済要求を受け付けるサーバ５０と、を備えている。【選択図】      図１
2005115876.tif 000002
【特許請求の範囲】
【請求項１】
少なくとも商品の購入金額情報を入力する店舗装置と、無線通信を介して接続され、カード情報が記憶されているユーザの携帯端末と、移動体通信網を介して接続され、前記携帯端末からのカード決済要求を受け付けるサーバと、を備えた携帯端末を利用した決済処理システムであって、
前記店舗装置は、
商品の購入金額情報を入力するための購入金額情報入力手段と、前記購入金額情報に前記商品を購入する店舗を特定するための店舗ＩＤ情報と前記商品の購入金額を入力する端末を特定するための端末ＩＤとを追加して店舗購入情報を生成する店舗購入情報生成手段と、前記店舗購入情報を前記携帯端末に送信するとともに、前記携帯端末から決済結果を受信するための通信手段と、を備え、
前記携帯端末は、
前記店舗購入情報にカード情報を追加して決済情報を生成する決済情報生成手段と、前記決済情報をサーバに送信するとともに、前記サーバから決済結果を受信し、前記店舗装置に前記決済結果を送信するための通信手段と、を備え、
前記サーバは、
前記決済情報に基づく決済結果を前記携帯端末に送信するための通信手段を備えていることを特徴とする携帯端末を利用した決済処理システム。
【請求項２】
少なくとも商品の購入金額情報を入力する店舗装置と、無線通信を介して接続され、カード情報が記憶されているユーザの携帯端末と、移動体通信網を介して接続され、前記携帯端末からのカード決済要求を受け付けるサーバと、決済するか否かの判定をする所定のカード機関の管理端末と、を備えた携帯端末を利用した決済処理システムであって、
前記店舗装置は、
商品の購入金額情報を入力するための購入金額情報入力手段と、前記購入金額情報に前記商品を購入する店舗を特定するための店舗ＩＤ情報と前記商品の購入金額を入力する端末を特定するための端末ＩＤとを追加して店舗購入情報を生成する店舗購入情報生成手段と、前記店舗購入情報を前記携帯端末に送信するとともに、前記携帯端末から決済結果を受信するための通信手段と、を備え、
前記携帯端末は、
前記店舗購入情報にカード情報を追加して決済情報を生成する決済情報生成手段と、前記決済情報をサーバに送信するとともに、前記サーバから決済結果を受信し、前記店舗装置に前記決済結果を送信するための通信手段と、を備え、
前記サーバは、
前記決済情報を所定のカード機関の管理端末に送信するとともに、所定のカード機関の端末から決済結果を受信し、前記携帯端末に前記決済結果を送信するための通信手段を備え、
前記管理端末は、
前記決済情報に基づいて決済するか否かを判定するための判定手段と、
判定結果を前記サーバに送信するための通信手段と、
を具備していることを特徴とする携帯端末を利用した決済処理システム。
【請求項３】
前記店舗装置と携帯端末間における情報の送信、及び前記携帯端末と前記サーバ間における情報の送信は、暗号化されて処理されることを特徴とする請求項２に記載の携帯端末を利用した決済処理システム。
【請求項４】
請求項１、又は２に記載の携帯端末を利用した決済処理システムに含まれる店舗装置であって、
前記店舗装置は、
商品の購入金額情報を入力するための購入金額情報入力手段と、前記購入金額情報に前記商品を購入する店舗を特定するための店舗ＩＤ情報と前記商品の購入金額を入力する端末を特定するための端末ＩＤとを追加して店舗購入情報を生成する店舗購入情報生成手段と、前記店舗購入情報を前記携帯端末に送信するとともに、前記携帯端末から決済結果を受信するための通信手段と、
を備えていることを特徴とする携帯端末を利用した決済処理システムに含まれる店舗装置。
【請求項５】
請求項１、又は２に記載の携帯端末を利用した決済処理システムに含まれる携帯端末であって、
前記携帯端末は、
前記店舗購入情報にカード情報を追加して決済情報を生成する決済情報生成手段と、前記決済情報をサーバに送信するとともに、前記サーバから決済結果を受信し、前記店舗装置に前記決済結果を送信するための通信手段と、
を備えていることを特徴とする携帯端末を利用した決済処理システムに含まれる携帯端末。
【請求項６】
請求項１に記載の携帯端末を利用した決済処理システムに含まれるサーバであって、
前記サーバは、
前記決済情報に基づく決済結果を前記携帯端末に送信するための通信手段を備えていることを特徴とする携帯端末を利用した決済処理システムに含まれるサーバ。
【請求項７】
請求項２に記載の携帯端末を利用した決済処理システムに含まれるサーバであって、
前記サーバは、
前記決済情報を所定のカード機関の管理端末に送信するとともに、所定のカード機関の管理端末から決済結果を受信し、前記携帯端末に前記決済結果を送信するための通信手段を備えていることを特徴とする携帯端末を利用した決済処理システムに含まれるサーバ。
【請求項８】
少なくとも商品の購入金額情報を入力する店舗装置と、無線通信を介して接続され、電子マネー情報が記憶されているユーザの携帯端末と、移動体通信網を介して接続され、携帯端末からの決済要求を受け付けるサーバと、を備えた携帯端末を利用した決済処理システムであって、
前記店舗装置は、商品の購入金額情報を入力するための購入金額情報入力手段と、購入金額情報に商品を購入する店舗を特定するための店舗ＩＤ情報と商品の購入金額を入力する端末を特定するための端末ＩＤとを追加して店舗購入情報を生成する店舗購入情報生成手段と、店舗購入情報を携帯端末に送信するとともに、前記携帯端末から決済結果を受信するための通信手段と、を備え、
前記携帯端末は、店舗購入情報に購入者情報を追加して決済情報を生成する決済情報生成手段と、決済情報をサーバに送信するとともに、サーバにより更新された電子マネー情報と決済結果を受信し、前記決済結果を店舗装置に送信するための通信手段と、更新された電子マネー情報を記憶するための記憶手段と、を備え、
前記サーバは、決済情報に基づいて電子マネー情報から購入金額を減算して電子マネー情報を更新するための電子マネー情報更新手段と、前記決済情報に基づく決済結果を前記携帯端末に送信するための通信手段と、を具備していることを特徴とする携帯端末を利用した決済処理システム。
【請求項９】
請求項７に記載の携帯端末を利用した決済処理システムに含まれる店舗装置であって、
前記店舗装置は、商品の購入金額情報を入力するための購入金額情報入力手段と、購入金額情報に商品を購入する店舗を特定するための店舗ＩＤ情報と商品の購入金額を入力する端末を特定するための端末ＩＤとを追加して店舗購入情報を生成する店舗購入情報生成手段と、店舗購入情報を携帯端末に送信するとともに、前記携帯端末から決済結果を受信するための通信手段と、を備えていることを特徴とする携帯端末を利用した決済処理システムに含まれる店舗装置。
【請求項１０】
請求項７に記載の携帯端末を利用した決済処理システムに含まれる携帯端末であって、
前記携帯端末は、店舗購入情報に購入者情報を追加して決済情報を生成する決済情報生成手段と、決済情報をサーバに送信するとともに、サーバにより更新された電子マネー情報と決済結果を受信し、前記決済結果を店舗装置に送信するための通信手段と、更新された電子マネー情報を記憶するための記憶手段と、を備えていることを特徴とする携帯端末を利用した決済処理システムに含まれる携帯端末。
【請求項１１】
請求項７に記載の携帯端末を利用した決済処理システムに含まれるサーバであって、
前記サーバは、決済情報に基づいて電子マネー情報から購入金額を減算して電子マネー情報を更新するための電子マネー情報更新手段と、前記決済情報に基づく決済結果を前記携帯端末に送信するための通信手段と、を備えていることを特徴とする携帯端末を利用した決済処理システムに含まれるサーバ。
【発明の詳細な説明】
【技術分野】
【０００１】
本発明は、商品等の購入における代金をカードで支払う際の決済を携帯端末を利用して行う携帯端末を利用した決済処理システム等に関する。
【背景技術】
【０００２】
近年のコンピュータ及び通信ネットワークの発展に伴い、店舗で商品を購入する際にはクレジットカードやデビットカードでの決済が行われている。
【０００３】
クレジットカードは、キャッシュレスでの商品購入機能と一定期間経過後に決済される信用販売機能を有している。クレジットカードによる決済は、図７に示すように、商品購入時にカード所有者が店舗側にクレジットカード８０を提示することにより、店舗８２側は所定のカード情報読取装置８３によりカード情報を読み取り、必要であれば暗証番号等を利用者に入力させ、その暗証番号情報とカード情報を専用線８４を介してアクワイヤラー８５に送信する。アクワイヤラー８５はその情報を、所定のカード会社の管理端末８６、８７に接続するためのネットワーク８８を介して、所定の管理端末８６、８７に送信する。所定の管理端末８６、８７は、店舗８２から送信される情報に基づいて決済を認証するか否かを判定し、その結果を店舗８２に通知し、決済処理を終了する。
【０００４】
デビットカードは、銀行預金を引き出す際に使用するキャッシュカードに商品購入機能が付加されたものである。デビットカードを取扱う加盟金融機関と加盟店舗の枠内において利用可能である。デビットカードによる決済は、商品購入時にカード所有者が店舗側にデビットカードを提示することにより、店舗側は所定のカード情報読取装置によりカード情報を読み取ると同時に、利用者に暗証番号を入力させ、その暗証番号情報とカード情報を所定の専用ネットワークを経由して加盟金融機関に接続し、利用者の預金口座から加盟店の口座へ商品等の購入にかかる清算金額が振り込まれて即時決済される。
【０００５】
また、現在の店舗・カード管理会社間の通信手段としては、公衆回線やＩＳＤＮ回線が使用されており、１回の取引時に約７円かかっている。
【発明の開示】
【発明が解決しようとする課題】
【０００６】
ところが、商品購入等における磁気式、又はＩＣチップ式のクレジットカードやデビットカード等の決済においては、磁気式クレジットカードを提示してからのサイン確認処理やＩＣチップ式クレジットカードやデビッドカードでのＰＩＮ入力処理を行うまでの応答処理に約２０秒〜３０秒かかり、順番待ちをしている他の客は現金決済をする際に比べ、待ち時間が多くなるため、利用者はなかなかカード決済を行いづらいという背景があり、カード利用の普及がなかなか進まないという問題がある。
【０００７】
また、利用者の個人認証をする為に入力する暗証番号等は、通常は、店舗側に設置されているカード読取装置に設けられている１０キー等を利用して利用者が入力する。そのため、周りから見えないように工夫がされているものの、暗証番号を盗み見される心配があるという問題がある。
【０００８】
また、カード決済は、個人情報を取り扱うため個人情報を保護するためのセキュリティを厳格に行う必要があるが、ＩＣチップ式クレジットカードのカード決済処理システムにおいては、このセキュリティコストが多大であるという問題がある。また、磁気式クレジットカード決済、デビッドカード決済を行う場合は、通信コストが高いという問題がある。
【０００９】
本発明が解決しようとする課題には、上記した問題が一例として挙げられる。
【００１０】
そこで、本発明は、決済にかかる応答時間の短縮、個人情報の漏洩防止、通信にかかる費用の軽減を目的とする携帯端末による決済処理方法、及びそのシステムを提供する。
【課題を解決するための手段】
【００１１】
以下、本発明について説明する。なお、本発明の理解を容易にするために添付図面の参照符号を括弧書きにて付記するが、それにより本発明が図示の形態に限定されるものではない。
【００１２】
また、本発明の携帯端末を利用した決済処理システムは、少なくとも商品の購入金額情報を入力する店舗装置（３０）と、無線通信を介して接続され、カード情報が記憶されているユーザの携帯端末（１０）と、移動体通信網を介して接続され、前記携帯端末からのカード決済要求を受け付けるサーバ（５０）と、を備えた携帯端末を利用した決済処理システム（１００）であって、前記店舗装置は、商品の購入金額情報を入力するための購入金額情報入力手段（３１）と、前記購入金額情報に前記商品を購入する店舗を特定するための店舗ＩＤ情報と前記商品の購入金額を入力する端末を特定するための端末ＩＤとを追加して店舗購入情報を生成する店舗購入情報生成手段（３３）と、前記店舗購入情報を前記携帯端末に送信するとともに、前記携帯端末から決済結果を受信するための通信手段（３２）と、を備え、前記携帯端末は、前記店舗購入情報にカード情報を追加して決済情報を生成する決済情報生成手段（１６）と、前記決済情報をサーバに送信するとともに、前記サーバから決済結果を受信し、前記店舗装置に前記決済結果を送信するための通信手段（１２）と、を備え、前記サーバは、前記決済情報に基づく決済結果を前記携帯端末に送信するための通信手段（５１）を備えていることを特徴とする。
【００１３】
また、本発明の携帯端末を利用した決済処理システムは、少なくとも商品の購入金額情報を入力する店舗装置と、無線通信を介して接続され、カード情報が記憶されているユーザの携帯端末と、移動体通信網を介して接続され、前記携帯端末からのカード決済要求を受け付けるサーバと、決済するか否かの判定をする所定のカード機関（７０）の管理端末（７１、７２）と、を備えた携帯端末を利用した決済処理システムであって、前記店舗装置は、商品の購入金額情報を入力するための購入金額情報入力手段と、前記購入金額情報に前記商品を購入する店舗を特定するための店舗ＩＤ情報と前記商品の購入金額を入力する端末を特定するための端末ＩＤとを追加して店舗購入情報を生成する店舗購入情報生成手段と、前記店舗購入情報を前記携帯端末に送信するとともに、前記携帯端末から決済結果を受信するための通信手段と、を備え、前記携帯端末は、前記店舗購入情報にカード情報を追加して決済情報を生成する決済情報生成手段と、前記決済情報をサーバに送信するとともに、前記サーバから決済結果を受信し、前記店舗装置に前記決済結果を送信するための通信手段と、を備え、前記サーバは、前記決済情報を所定のカード機関の管理端末に送信するとともに、所定のカード機関の管理端末から決済結果を受信し、前記携帯端末に前記決済結果を送信するための通信手段を備え、前記所定のカード機関の管理端末は、前記決済情報にに基づいて決済するか否かを判定するための判定手段（７４）と、判定結果を前記サーバに送信するための通信手段（７３）と、を具備していることを特徴とする。
【００１４】
また、前記店舗装置と携帯端末間における情報の送信、及び前記携帯端末と前記サーバ間における情報の送信は、暗号化されて処理されるようにしてもよい。
【００１５】
また、本発明の携帯端末を利用した決済処理システムは、少なくとも商品の購入金額情報を入力する店舗装置と、無線通信を介して接続され、電子マネー情報が記憶されているユーザの携帯端末と、移動体通信網を介して接続され、携帯端末からの決済要求を受け付けるサーバと、を備えた携帯端末を利用した決済処理システムであって、前記店舗装置は、商品の購入金額情報を入力するための購入金額情報入力手段と、購入金額情報に商品を購入する店舗を特定するための店舗ＩＤ情報と商品の購入金額を入力する端末を特定するための端末ＩＤとを追加して店舗購入情報を生成する店舗購入情報生成手段と、店舗購入情報を携帯端末に送信するとともに、前記携帯端末から決済結果を受信するための通信手段と、を備え、前記携帯端末は、店舗購入情報に購入者情報を追加して決済情報を生成する決済情報生成手段と、決済情報をサーバに送信するとともに、サーバにより更新された電子マネー情報と決済結果を受信し、前記決済結果を店舗装置に送信するための通信手段と、更新された電子マネー情報を記憶するための記憶手段と、を備え、前記サーバは、決済情報に基づいて電子マネー情報から購入金額を減算して電子マネー情報を更新するための電子マネー情報更新手段と、前記決済情報に基づく決済結果を前記携帯端末に送信するための通信手段と、を具備していることを特徴とする。
【００１６】
このようにすれば、移動体通信網を使用するためセキュリティコストを大幅に安くできるとともに、決済時の応答時間を大幅に短縮できる。また、通信コストを大幅に安くできる。また、決済処理は、店舗装置を介さず、所定のカード会社・金融機関の管理端末と直接行われるため、店舗装置における個人情報の漏洩等を防止できる。
【発明を実施するための最良の形態】
【００１７】
―第１の実施形態―
以下、本実施形態の携帯端末を利用した決済処理システムの実施形態について図１乃至図３を用いて説明する。図１は本実施形態の携帯端末を利用した決済処理システムの概略図、図２は本実施形態の携帯端末を利用した決済処理システムの構成図、図２は決済シーケンスを示す図である。
【００１８】
図示のように、携帯端末を利用した決済処理システム１００は、ＩＣチップ５を有する携帯端末１０と、店舗２９に設置された店舗装置３０と、カード決済要求を受け付けるためのサーバ５０と、カード決済するための所定のカード機関７０の管理端末７１、７２と、から構成される。管理端末７１、７２は、カードの種類に応じて複数存在する。また、カード機関７０とは、例えばカード（例えば、デビットカードやクレジットカード）を発行・管理する機関であり、クレジット会社や銀行等である。また、店舗２９とは、商品・サービス等を販売・提供する店である。また、本実施形態においては、管理端末７１はデビット決済するための端末として、管理端末７２はクレジット決済するための端末として説明する。
【００１９】
携帯端末１０と店舗装置３０とは無線通信により接続される。無線通信とは、例えば、赤外線通信等である。また、携帯端末１０とサーバ５０とは移動体通信網を介して接続される。また、サーバ５０と所定のカード会社・金融機関等の管理端末７１、７２とは、ネットワーク８０の一例として専用線、又はＩＰ（internet protocol）、ＶＰＮ（virtual private network）等により接続される。また、ネットワーク８０としては、ＬＡＮ（local area network）、ＷＡＮ（wide area network）、その他、有線又は無線の任意の通信手段を利用してもよい。
【００２０】
携帯端末１０は、購入者情報を記憶するための記憶部１１として機能するＩＣチップ５と、店舗装置３０、又はサーバ５０と情報を相互に送受信するための通信部１２と、所定の情報を暗号／復号化するための暗号／復号部１３と、店舗装置３０及びサーバ５０を認証するための認証部１４と、店舗情報を暗号化するための通信鍵を生成するための通信鍵生成部１５と、決済するための情報（以下、「決済情報」と称す。）を生成するための決済情報生成部１６と、を各部を制御するための制御部１８と、備えている。制御部１８は各部１１〜１６と電気的に接続されている。また、決済情報とは、商品等の購入の際に店舗から送信される店舗購入者情報に購入者情報を追加した情報である。また、購入者情報とは、カードの種類、カード番号、予めＰＩＮ入力された暗証番号、購入者の名前等の購入者情報等である。また、記憶部１１には、所定の情報を暗号化、又は暗号化された情報を復号化するための店舗公開鍵とサーバ公開鍵が記憶されている。
【００２１】
また、携帯端末１０における決済情報生成部１６は、商品等の購入の際に店舗から送信される店舗購入情報にカード情報を追加して決済情報を生成するための決済情報生成手段として機能する。また、通信部１２は、決済情報をサーバ５０に送信するとともに、サーバ５０から決済結果を受信し、店舗装置３０に決済結果を送信するための通信手段として機能する。
【００２２】
店舗装置３０は、ユーザから商品等の購入要求を受け付け商品の購入金額情報を入力するための購入金額情報入力部３１と、決済にかかる情報を携帯端末１０に送信するための通信部３２と、店舗購入情報を生成するための購入情報生成部３３と、所定の情報を暗号／復号するための暗号／復号部３４と、店舗装置３０であることを証明する証明書を発行するための証明書発行部３５と、決済時のレシートを発行するためのレシート発行部３６と、店舗秘密鍵等を記憶するための記憶部３７と、各部３１〜３７を制御するための制御部３８と、を備えている。制御部３８は各部３１〜３７と電気的に接続されている。また、店舗購入情報とは、決済をするために必要な商品等の購入金額情報、日時情報、及び店舗ＩＤ情報（ＴＩＤ）等である。
【００２３】
また、店舗装置３０における購入金額情報入力部３１は商品の購入金額情報を入力するための購入金額情報入力手段として機能する。また、店舗購入情報生成部３３は、店舗購入情報を生成するための店舗購入情報生成手段として機能する。また、通信部３２は、店舗購入情報を携帯端末１０に送信するとともに、携帯端末１０から決済結果を受信するための通信手段として機能する。
【００２４】
サーバ５０は、所定の情報を送受信するための通信部５１と、所定のサーバであることを証明する証明書を発行するための証明書発行部５２と、決済通知書を生成・発行する決済通知書発行部５３と、所定の情報を暗号／復号するための暗号／復号部５４と、サーバ秘密鍵等を記憶するための記憶部５５と、各部５１〜５５を制御する制御部５６と、を備えている。制御部５６は各部５１〜５５と電気的に接続されている。また、決済通知書とは、決済を認証するか否かを通知するものである。
【００２５】
また、サーバ５０における通信部５１は、決済情報を所定のカード機関７０の管理端末７１、７２に送信するとともに、所定のカード機関７０の管理端末７１、７２から決済結果を受信するための通信手段として機能する。また、通信部５１は、決済情報に基づく決済結果を携帯端末１０に送信するための通信手段として機能する。
【００２６】
管理端末７１、７２は、所定の情報を送受信するための通信部７３と、決済を認証するか否かを判定するための判定部７４と、所定の情報を暗号／復号するための暗号／復号部７５と、各部７３〜７５を制御する制御部７６と、を備えている。制御部７６は各部７３〜７５と電気的に接続されている。
【００２７】
また、管理端末７１、７２における判定部７４は、決済情報に基づいて決済するか否かを判定するための判定手段として機能する。また通信部７３は判定結果をサーバに送信するための通信手段として機能する。
【００２８】
なお、携帯端末１０、店舗装置３０、サーバ５０、及び管理端末７１、７２は、所定の実行プログラムに基づいて所定の処理が実行される。
【００２９】
次に、購入者からの商品等の購入要求に基づいておこなう決済処理について図３のシーケンス図を参照して説明する。なお、理解し易いように、図１と対応する箇所に符号を付記するが、この実施形態に限定されるものではない。また、本処理においては、デビット決済する際の処理について説明する。
【００３０】
まず、デビット決済により商品等を購入する場合は、携帯端末１０の通信部１２は、店舗装置３０に接続し、所定のリンクを確立する。
【００３１】
次に、店舗装置３０の証明書発行部３５は、証明書を発行する。また、店舗装置３０の暗号／復号化部３４は、店舗秘密鍵により証明書をＲＳＡ暗号化する。また、店舗装置３０の通信部３２は、当該暗号化した証明書を携帯端末１０に送信する。
【００３２】
次に、携帯端末１０の通信部１２は、当該証明書を受信する。また、携帯端末１０の暗号／復号化部１３は、店舗公開鍵により証明書をＲＳＡ復号化する。また、携帯端末１０の認証部１４は、当該証明書により所定の店舗装置３０であることを認証する。
【００３３】
また、携帯端末１０の通信鍵生成部１５は、店舗情報を暗号化するための通信鍵を生成する。また、携帯端末１０の暗号／復号化部１３は、店舗公開鍵により通信鍵をＲＳＡ暗号化する。また、携帯端末１０の通信部１２は、当該通信鍵を店舗装置３０に送信する。
【００３４】
次に、店舗装置３０の通信部３２は、通信鍵を受信する。また、店舗装置３０の暗号／復号化部３４は、店舗秘密鍵により通信鍵をＲＳＡ復号化する。
【００３５】
次に、携帯端末１０の通信部１２は、サーバ５０に接続し、リンクを確立する。
【００３６】
次に、サーバ５０の証明書発行部５２は、証明書を発行する。また、サーバ５０の暗号／復号化部５５は、サーバ秘密鍵により証明書をＲＳＡ暗号化する。また、サーバ５０の通信部５１は、当該暗号化した証明書を携帯端末１０に送信する。
【００３７】
次に、携帯端末１０の通信部１２は、当該証明書を受信する。また、携帯端末１０の暗号／復号化部１３は、サーバ公開鍵により証明書をＲＳＡ復号化する。また、携帯端末１０の認証部１４は、当該証明書により所定のサーバであることを認証する。
【００３８】
また、携帯端末１０の通信鍵生成部１５は、決済通知書をＤＥＳ（Date Encryption Standard）暗号化するための通信鍵を生成する。また、携帯端末１０の暗号／復号化部１３は、サーバ公開鍵により通信鍵をＲＳＡ暗号化する。また、携帯端末１０の通信部１２は、当該通信鍵をサーバ５０に送信する。
【００３９】
次に、サーバ５０の通信部５１は、通信鍵を受信する。また、サーバ５０の暗号／復号化部５４は、サーバ秘密鍵により通信鍵をＲＳＡ復号化する。
【００４０】
次に、店舗装置３０の暗号／復号化部３４は、店舗購入情報を通信鍵によりＤＥＳ暗号化する。また、店舗装置３０の通信部３２は、当該暗号化した店舗購入情報を携帯端末１０に送信する。
【００４１】
携帯端末１０の通信部１２は、店舗購入情報を受信する。また、携帯端末１０の決済情報生成部１６は、店舗購入情報に購入者情報を追加し決済情報を生成する。また、携帯端末１０の暗号／復号化部１３は、通信鍵により決済情報をＤＥＳ暗号化する。また、携帯端末１０の通信部１２は、当該決済情報をサーバ５０に送信する。
【００４２】
サーバ５０の通信部５１は、当該決済情報を受信するとともに、当該決済情報を所定の金融機関７０の管理端末７１に送信する。
【００４３】
次に、管理端末７１の通信部は、決済情報を受信する。また、管理端末７１の暗号／復号化部７５は、通信鍵により決済情報をＤＥＳ復号化する。
【００４４】
次に、管理端末７１の判定部７４は、当該決済情報に基づいて決済可能か否かを判定する。
【００４５】
次に、管理端末７１の通信部７３は、判定結果（以下、「承認情報」と称する。）をサーバ５０に送信する。
【００４６】
次に、サーバ５０の通信部５１は、承認情報を受信する。
【００４７】
次に、サーバ５０の決済通知書発行部５３は、当該承認情報に基づく判定結果を通知するための決済通知書を生成・発行する。決済通知書とは、例えば、承認Ｎｏ、決済可否情報、等から構成された通知書である。
【００４８】
次に、サーバ５０の通信部５１は、当該決済通知書を携帯端末１０に送信する。
【００４９】
次に、携帯端末１０の通信部１２は、決済通知書を受信し、決済通知書に購入者情報と金額情報を追加して、その決済通知書を店舗装置３０に送信する。その際、携帯端末１０の暗号／復号化部１３は、通信鍵により決済通知書をＤＥＳ暗号化する。
【００５０】
次に、店舗装置３０の通信部３２は、当該決済通知書を受信する。また、店舗装置３０の暗号／復号化部３４は、通信鍵により決済通知書をＤＥＳ復号化する。また、店舗装置３０のレシート発行部３６は、当該決済通知書に基づいてレシートを発行する。また、店舗装置３０の通信部３２は、携帯端末１０に当該レシートを送信し、処理を終了する。
【００５１】
以上に説明したように、本発明の携帯端末を利用した決済処理システム１００は、少なくとも商品の購入金額情報を入力する店舗装置３０と、無線通信を介して接続され、カード情報が記憶されているユーザの携帯端末１０と、移動体通信網を介して接続され、携帯端末１０からのカード決済要求を受け付けるサーバ５０と、決済するか否かの判定をする所定のカード機関７０の管理端末７１、７２と、を備えた携帯端末を利用した決済処理システム１００であって、店舗装置３０は、商品の購入金額情報を入力するための購入金額情報入力部３１と、購入金額情報に商品を購入する店舗を特定するための店舗ＩＤ情報と商品の購入金額を入力する端末を特定するための端末ＩＤとを追加して店舗購入情報を生成する店舗購入情報生成部３３と、店舗購入情報を携帯端末１０に送信するとともに、携帯端末１０から決済結果を受信するための通信部３２と、を備え、携帯端末１０は、店舗購入情報にカード情報を追加して決済情報を生成する決済情報生成部１６と、決済情報をサーバ５０に送信するとともに、サーバ５０から決済結果を受信し、店舗装置３０に決済結果を送信するための通信部１２と、を備え、サーバ５０は、決済情報を所定のカード機関７０の管理端末７１、７２に送信するとともに、所定のカード機関７０の管理端末７１、７２から決済結果を受信し、携帯端末１０に決済結果を送信するための通信部５１を備え、所定のカード機関７０の管理端末７１、７２は、決済情報にに基づいて決済するか否かを判定するための判定部７４と、判定結果をサーバ５０に送信するための通信部７３と、を具備している。また、店舗装置３０と携帯端末１０間における情報の送信、携帯端末１０とサーバ５０間、サーバ５０と管理端末７１、７２間における情報の送信は、暗号化されて処理されるようにしてもよい。
【００５２】
このようにすれば、移動体通信網を使用するため磁気カードのＩＣチップ化によるオフライン処理のセキュリティコストを大幅に安くできるとともに、決済時の応答時間を大幅に短縮できる。また、通信コストを大幅に安くできる。また、決済処理は、店舗装置を介さず、所定のカード会社・金融機関の管理端末と直接行われるため、店舗装置における個人情報の漏洩等を防止できる。
【００５３】
―第２の実施形態―
次に、本実施形態の携帯端末を利用した決済処理システムの実施形態について図４乃至図６を用いて説明する。図４は本実施形態の携帯端末を利用した決済処理システムの概略図、図５は本実施形態の携帯端末を利用した決済処理システムの構成図、図６は決済シーケンスを示す図である。なお、図１、図２と同一部分については同一符号を付する。
【００５４】
図示のように、携帯端末を利用した決済処理システム１１０は、ＩＣチップ５を有する携帯端末１０と、店舗２９に設置された店舗装置３０と、カード決済要求を受け付けるためのサーバ５０と、から構成される。また、店舗２９とは、商品・サービス等を販売・提供する店である。また、本実施形態の携帯端末１０に有するＩＣチップ５は電子マネーとして機能する。ＩＣチップ５には、通常、所定の入金機から所定の金額を入金することにより、当該入金額に見合う貨幣数値情報が蓄積されたサーバ内のアドレス情報と残高情報（以下、「電子マネー情報」と称する。）が記憶される。これにより、ＩＣチップ５に記憶されている残高情報を限度として商品等の支払いを行える。
【００５５】
携帯端末１０と店舗装置３０とは無線通信により接続される。無線通信とは、例えば、赤外線通信等である。また、携帯端末１０とサーバ５０とは移動体通信網を介して接続される。
【００５６】
携帯端末１０は、購入者情報、及び電子マネー情報を記憶するための記憶部１１として機能するＩＣチップ５と、店舗装置３０、又はサーバ５０と情報を相互に送受信するための通信部１２と、所定の情報を暗号／復号化するための暗号／復号部１３と、店舗装置３０及びサーバ５０を認証するための認証部１４と、店舗情報を暗号化するための通信鍵を生成するための通信鍵生成部１５と、決済するための情報（以下、「決済情報」と称す。）を生成するための決済情報生成部１６と、各部を制御するための制御部１８と、備えている。制御部１８は各部１１〜１６と電気的に接続されている。また、決済情報とは、商品等の購入の際に店舗から送信される店舗購入者情報に購入者情報を追加した情報である。また、購入者情報とは、携帯端末１０の利用者を特定するためのユーザＩＤ、予めＰＩＮ入力された暗証番号、購入者の名前等の情報である。また、記憶部１１には、所定の情報を暗号化、又は暗号化された情報を復号化するための店舗公開鍵とサーバ公開鍵が記憶されているとともに、電子マネー情報が記憶されている。
【００５７】
また、携帯端末１０における決済情報生成部１６は、商品等の購入の際に店舗から送信される店舗購入情報に購入者情報を追加して決済情報を生成するための決済情報生成手段として機能する。また、通信部１２は、決済情報をサーバ５０に送信するとともに、サーバ５０により更新された電子マネー情報と決済結果を受信し、少なくとも決済結果を店舗装置に送信するための通信手段として機能する。また、記憶部１１は更新された電子マネー情報を記憶するための記憶手段として機能する。
【００５８】
店舗装置３０は、ユーザから商品等の購入要求を受け付け商品の購入金額情報を入力するための購入金額情報入力部３１と、決済にかかる情報を携帯端末１０に送信するための通信部３２と、店舗購入情報を生成するための購入情報生成部３３と、所定の情報を暗号／復号するための暗号／復号部３４と、店舗装置３０であることを証明する証明書を発行するための証明書発行部３５と、決済時のレシートを発行するためのレシート発行部３６と、店舗秘密鍵等を記憶するための記憶部３７と、各部３１〜３７を制御するための制御部３８と、を備えている。制御部３８は各部３１〜３７と電気的に接続されている。また、店舗購入情報とは、決済をするために必要な商品等の購入金額情報、日時情報、及び店舗ＩＤ情報（ＴＩＤ）等である。
【００５９】
また、店舗装置３０における購入金額情報入力部３１は商品の購入金額情報を入力するための購入金額情報入力手段として機能する。また、店舗購入情報生成部３３は、店舗購入情報を生成するための店舗購入情報生成手段として機能する。また、通信部３２は、店舗購入情報を携帯端末１０に送信するとともに、携帯端末１０から決済結果を受信するための通信手段として機能する。
【００６０】
サーバ５０は、所定の情報を送受信するための通信部５１と、所定のサーバであることを証明する証明書を発行するための証明書発行部５２と、決済通知書を生成・発行する決済通知書発行部５３と、所定の情報を暗号／復号するための暗号／復号部５４と、サーバ秘密鍵等を記憶するための記憶部５５と、各部５１〜５５を制御する制御部５６と、を備えている。制御部５６は各部５１〜５５と電気的に接続されている。また、決済通知書とは、商品等の購入金額を電子マネー情報から減算し決済した旨の通知である。
【００６１】
記憶部５５には、携帯端末１０のユーザＩＤごとに電子マネー情報を管理する貨幣情報管理データベースを備えている。
【００６２】
また、制御部５６は、商品等の支払い金額情報に基づいて、貨幣情報管理データベースに記憶されている利用者の電子マネー情報から商品等の支払金額に対応する金額分の度数を減算して、電子マネー情報を更新する。
【００６３】
また、サーバ５０の通信部５１は、決済情報に基づく決済結果を携帯端末１０に送信するための通信手段として機能する。また、サーバ５０の制御部５６は、決済情報に基づいて電子マネー情報から購入金額を減算して電子マネー情報を更新するための更新手段として機能する。
【００６４】
なお、携帯端末１０、店舗装置３０、及びサーバ５０は、所定の実行プログラムに基づいて所定の処理が実行される。
【００６５】
次に、購入者からの商品等の購入要求に基づいておこなう決済処理について図６のシーケンス図を参照して説明する。なお、理解し易いように、図５と対応する箇所に符号を付記するが、この実施形態に限定されるものではない。
【００６６】
まず、電子マネーとして機能するＩＣチップ５を有する携帯端末１０によって商品等を購入する場合は、携帯端末１０の通信部１２は、店舗装置３０に接続し、所定のリンクを確立する。
【００６７】
次に、店舗装置３０の証明書発行部３５は、証明書を発行する。また、店舗装置３０の暗号／復号化部３４は、店舗秘密鍵により証明書をＲＳＡ暗号化する。また、店舗装置３０の通信部３２は、当該暗号化した証明書を携帯端末１０に送信する。
【００６８】
次に、携帯端末１０の通信部１２は、当該証明書を受信する。また、携帯端末１０の暗号／復号化部１３は、店舗公開鍵により証明書をＲＳＡ復号化する。また、携帯端末１０の認証部１４は、当該証明書により所定の店舗装置３０であることを認証する。
【００６９】
また、携帯端末１０の通信鍵生成部１５は、店舗情報を暗号化するための通信鍵を生成する。また、携帯端末１０の暗号／復号化部１３は、店舗公開鍵により通信鍵をＲＳＡ暗号化する。また、携帯端末１０の通信部１２は、当該通信鍵を店舗装置３０に送信する。
【００７０】
次に、店舗装置３０の通信部３２は、通信鍵を受信する。また、店舗装置３０の暗号／復号化部３４は、店舗秘密鍵により通信鍵をＲＳＡ復号化する。
【００７１】
次に、携帯端末１０の通信部１２は、サーバ５０に接続し、リンクを確立する。
【００７２】
次に、サーバ５０の証明書発行部５２は、証明書を発行する。また、サーバ５０の暗号／復号化部５５は、サーバ秘密鍵により証明書をＲＳＡ暗号化する。また、サーバ５０の通信部５１は、当該暗号化した証明書を携帯端末１０に送信する。
【００７３】
次に、携帯端末１０の通信部１２は、当該証明書を受信する。また、携帯端末１０の暗号／復号化部１３は、サーバ公開鍵により証明書をＲＳＡ復号化する。また、携帯端末１０の認証部１４は、当該証明書により所定のサーバであることを認証する。
【００７４】
また、携帯端末１０の通信鍵生成部１５は、決済通知書をＤＥＳ（Date Encryption Standard）暗号化するための通信鍵を生成する。また、携帯端末１０の暗号／復号化部１３は、サーバ公開鍵により通信鍵をＲＳＡ暗号化する。また、携帯端末１０の通信部１２は、当該通信鍵をサーバ５０に送信する。
【００７５】
次に、サーバ５０の通信部５１は、通信鍵を受信する。また、サーバ５０の暗号／復号化部５４は、サーバ秘密鍵により通信鍵をＲＳＡ復号化する。
【００７６】
次に、店舗装置３０の暗号／復号化部３４は、店舗購入情報を通信鍵によりＤＥＳ暗号化する。また、店舗装置３０の通信部３２は、当該暗号化した店舗購入情報を携帯端末１０に送信する。
【００７７】
携帯端末１０の通信部１２は、店舗購入情報を受信する。また、携帯端末１０の決済情報生成部１６は、店舗購入情報に購入者情報を追加し決済情報を生成する。また、携帯端末１０の暗号／復号化部１３は、通信鍵により決済情報をＤＥＳ暗号化する。また、携帯端末１０の通信部１２は、当該決済情報をサーバ５０に送信する。
【００７８】
サーバ５０の通信部５１は、当該決済情報を受信する。
【００７９】
次に、サーバ５０の制御部５６は、当該決済情報の商品等の支払金額情報に基づいて、貨幣情報管理データベースに記憶されている利用者の電子マネー情報から商品等の支払金額に対応する金額分の度数を減算して、電子マネー情報を更新する。
【００８０】
次に、サーバ５０の通信部５１は、決済通知書（決済結果）と更新した電子マネー情報を携帯端末１０に送信する。
【００８１】
次に、携帯端末１０の通信部１２は、決済通知書と更新した電子マネー情報を受信する。
【００８２】
次に、携帯端末１０の制御部１８は、ＩＣチップ５に更新した電子マネー情報を記憶する。
【００８３】
次に、携帯端末１０の通信部１２は、決済通知書と残高情報に購入者情報を追加して、店舗装置３０に送信する。その際、携帯端末１０の暗号／復号化部１３は、通信鍵により購入者情報と残高情報とをＤＥＳ暗号化する。
【００８４】
次に、店舗装置３０の通信部３２は、当該決済通知書と購入者情報と残高情報を受信する。また、店舗装置３０の暗号／復号化部３４は、通信鍵により決済通知書と購入者情報と残高情報をＤＥＳ復号化する。また、店舗装置３０のレシート発行部３６は、当該残高情報に基づいてレシートを発行する。また、店舗装置３０の通信部３２は、携帯端末１０に当該レシートを送信し、処理を終了する。
【００８５】
以上に説明したように、本発明の携帯端末を利用した決済処理システム１１０は、少なくとも商品の購入金額情報を入力する店舗装置３０と、無線通信を介して接続され、電子マネー情報が記憶されているユーザの携帯端末１０と、移動体通信網を介して接続され、携帯端末１０からのカード決済要求を受け付けるサーバ５０と、を備えた携帯端末を利用した決済処理システム１１０であって、店舗装置３０は、商品の購入金額情報を入力するための購入金額情報入力部３１と、購入金額情報に商品を購入する店舗を特定するための店舗ＩＤ情報と商品の購入金額を入力する端末を特定するための端末ＩＤとを追加して店舗購入情報を生成する店舗購入情報生成部３３と、店舗購入情報を携帯端末１０に送信するとともに、携帯端末１０から決済結果を受信するための通信部３２と、を備え、携帯端末１０は、店舗購入情報に購入者情報を追加して決済情報を生成する決済情報生成部１６と、決済情報をサーバ５０に送信するとともに、サーバ５０により更新された電子マネー情報と決済結果を受信し、少なくとも決済結果を店舗装置３０に送信するための通信部１２と、更新された電子マネー情報を記憶するための記憶部１１と、を備え、サーバ５０は、決済情報に基づいて電子マネー情報から購入金額を減算して電子マネー情報を更新するための制御部５６と、前記決済情報に基づく決済結果を前記携帯端末に送信するための通信部５１と、を具備している。また、店舗装置３０と携帯端末１０間における情報の送信、携帯端末１０とサーバ５０間における情報の送信は、暗号化されて処理されるようにしてもよい。
【００８６】
このようにすれば、商品等の支払等における決済処理は、店舗装置を介さず、所定のサーバと直接行われるため、店舗装置における個人情報の漏洩等を防止できる。
【００８７】
以上、本発明の携帯端末を利用した決済処理システムの実施形態を示したが、これらの実施形態に限定されず、種々の形態により実施できる。
【図面の簡単な説明】
【００８８】
【図１】第1の実施形態における携帯端末を利用した決済処理システムの概略図である。
【図２】第1の実施形態における携帯端末を利用した決済処理システムの構成である。
【図３】第1の実施形態における決済シーケンスを示す図である。
【図４】第２の実施形態における携帯端末を利用した決済処理システムの概略図である。
【図５】第２の実施形態における携帯端末を利用した決済処理システムの構成である。
【図６】第２の実施形態における決済シーケンスを示す図である。
【図７】従来の決済処理システムの概略図である。
【符号の説明】
【００８９】
１０  携帯端末
１２  通信部（通信手段）
１６  決済情報生成部（決済情報生成手段）  
３０  店舗装置
３１  購入要求受付部（購入要求受付手段）
３２  通信部（通信手段）
３３  購入情報生成部（購入情報生成手段）
３６  レシート発行部（レシート発行手段）
５０  サーバ
５１  通信部（通信手段）
５３  決済通知書発行部（決済通知書発行手段）
７０  所定のカード機関
７１、７２  管理端末
７４  判定部（判定手段）
７３  通信部（通信手段）
１００  携帯端末を利用した決済処理システム
【図１】
2005115876.tif 000003
【図２】
2005115876.tif 000004
【図３】
2005115876.tif 000005
【図４】
2005115876.tif 000006
【図５】
2005115876.tif 000007
【図６】
2005115876.tif 000008
【図７】
2005115876.tif 000009